【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
インストール済みのアプリケーションのＵＲＬ情報に従って前記インストール済みのアプリケーションを動作させる情報処理装置であって、
前記インストール済みのアプリケーションと異なる追加アプリケーションのインストールの実行指示を受け付ける受付手段と、
前記受け付けた実行指示に従って前記追加アプリケーションをインストールするインストール手段と、
前記追加アプリケーションのＵＲＬ情報が前記インストール済みのアプリケーションのＵＲＬ情報と対応するか否かを判別する判別手段と、
前記追加アプリケーションのＵＲＬ情報が前記インストール済みのアプリケーションのＵＲＬ情報と対応する場合、前記追加アプリケーション及び前記インストール済みのアプリケーションを含む複数のアプリケーションの中から動作有効の状態に設定するアプリケーションをユーザに選択させる選択画面を表示する表示手段と、
前記選択画面を介して前記動作有効の状態に設定するアプリケーションの選択を受け付けるアプリケーション選択受付手段と、
前記選択されたアプリケーションを前記動作有効の状態に設定する設定手段とを備えることを特徴とする情報処理装置。
【請求項２】
前記追加アプリケーションのＵＲＬ情報が前記インストール済みのアプリケーションのＵＲＬ情報と対応する場合、前記追加アプリケーションのインストールに関する警告を通知する通知手段を更に備えることを特徴とする請求項１記載の情報処理装置。
【請求項３】
前記動作有効の状態に設定するアプリケーションを前記追加アプリケーション及び前記インストール済みのアプリケーションの何れかに変更する指示を受け付ける設定変更受付手段を更に備えることを特徴とする請求項１又は２に記載の情報処理装置。
【請求項４】
前記追加アプリケーションのＵＲＬ情報に設定される文字列であって前記追加アプリケーションを特定する文字列を含むデータを取得し、
前記判別手段は、前記データに基づいて前記追加アプリケーションのＵＲＬ情報が前記インストール済みのアプリケーションのＵＲＬ情報と対応するか否かを判別することを特徴とする請求項１乃至３のいずれか１項に記載の情報処理装置。
【請求項５】
外部装置と接続され、
前記ＵＲＬ情報は、前記外部装置が該外部装置に接続された前記情報処理装置を含む複数の装置の中から特定の機能を実現する装置を検出するための所定の文字列を含むことを特徴とする請求項１乃至４のいずれか１項に記載の情報処理装置。
【請求項６】
前記設定手段は、前記選択画面で選択されていないアプリケーションを動作無効の状態に設定することを特徴とする請求項１乃至５のいずれか１項に記載の情報処理装置。
【請求項７】
インストール済みのアプリケーションのＵＲＬ情報に従って前記インストール済みのアプリケーションを動作させる情報処理装置の制御方法であって、
前記インストール済みのアプリケーションと異なる追加アプリケーションのインストールの実行指示を受け付ける受付ステップと、
前記受け付けた実行指示に従って前記追加アプリケーションをインストールするインストールステップと、
前記追加アプリケーションのＵＲＬ情報が前記インストール済みのアプリケーションのＵＲＬ情報と対応するか否かを判別する判別ステップと、
前記追加アプリケーションのＵＲＬ情報が前記インストール済みのアプリケーションのＵＲＬ情報と対応する場合、前記追加アプリケーション及び前記インストール済みのアプリケーションを含む複数のアプリケーションの中から動作有効の状態に設定するアプリケーションをユーザに選択させる選択画面を表示する表示ステップと、
前記選択画面を介して前記動作有効の状態に設定するアプリケーションの選択を受け付けるアプリケーション選択受付ステップと、
前記選択されたアプリケーションを前記動作有効の状態に設定する設定ステップとを有することを特徴とする情報処理装置の制御方法。
【請求項８】
インストール済みのアプリケーションのＵＲＬ情報に従って前記インストール済みのアプリケーションを動作させる情報処理装置の制御方法をコンピュータに実行させるプログラムであって、
前記情報処理装置の制御方法は、
前記インストール済みのアプリケーションと異なる追加アプリケーションのインストールの実行指示を受け付ける受付ステップと、
前記受け付けた実行指示に従って前記追加アプリケーションをインストールするインストールステップと、
前記追加アプリケーションのＵＲＬ情報が前記インストール済みのアプリケーションのＵＲＬ情報と対応するか否かを判別する判別ステップと、
前記追加アプリケーションのＵＲＬ情報が前記インストール済みのアプリケーションのＵＲＬ情報と対応する場合、前記追加アプリケーション及び前記インストール済みのアプリケーションを含む複数のアプリケーションの中から動作有効の状態に設定するアプリケーションをユーザに選択させる選択画面を表示する表示ステップと、
前記選択画面を介して前記動作有効の状態に設定するアプリケーションの選択を受け付けるアプリケーション選択受付ステップと、
前記選択されたアプリケーションを前記動作有効の状態に設定する設定ステップとを有することを特徴とするプログラム。
【請求項９】
インストール済みのアプリケーションのＵＲＬ情報に従って前記インストール済みのアプリケーションを動作させる情報処理装置であって、
前記インストール済みのアプリケーションと異なる追加アプリケーションのインストールの実行指示を受け付ける受付手段と、
前記受け付けた実行指示に従って前記追加アプリケーションをインストールするインストール手段と、
前記追加アプリケーションのＵＲＬ情報が前記インストール済みのアプリケーションのＵＲＬ情報と対応するか否かを判別する判別手段と、
前記追加アプリケーションのＵＲＬ情報が前記インストール済みのアプリケーションのＵＲＬ情報と対応する場合、前記追加アプリケーション及び前記インストール済みのアプリケーションのいずれか一方を動作有効の状態に設定する設定手段とを備えることを特徴とする情報処理装置。
【請求項１０】
前記追加アプリケーションのＵＲＬ情報が前記インストール済みのアプリケーションのＵＲＬ情報と対応する場合、前記追加アプリケーションのインストールに関する警告を通知する通知手段を更に備えることを特徴とする請求項９記載の情報処理装置。
【請求項１１】
前記追加アプリケーションのＵＲＬ情報に設定される文字列であって前記追加アプリケーションを特定する文字列を含むデータを取得し、
前記判別手段は、前記データに基づいて前記追加アプリケーションのＵＲＬ情報が前記インストール済みのアプリケーションのＵＲＬ情報と対応するか否かを判別することを特徴とする請求項９又は１０に記載の情報処理装置。
【請求項１２】
外部装置と接続され、
前記ＵＲＬ情報は、前記外部装置が該外部装置に接続された前記情報処理装置を含む複数の装置の中から特定の機能を実現する装置を検出するための所定の文字列を含むことを特徴とする請求項９乃至１１のいずれか１項に記載の情報処理装置。
【請求項１３】
前記設定手段は、前記動作有効の状態に設定されなかったアプリケーションを動作無効の状態に設定することを特徴とする請求項９乃至１２のいずれか１項に記載の情報処理装置。
【請求項１４】
インストール済みのアプリケーションのＵＲＬ情報に従って前記インストール済みのアプリケーションを動作させる情報処理装置の制御方法であって、
前記インストール済みのアプリケーションと異なる追加アプリケーションのインストールの実行指示を受け付ける受付ステップと、
前記受け付けた実行指示に従って前記追加アプリケーションをインストールするインストールステップと、
前記追加アプリケーションのＵＲＬ情報が前記インストール済みのアプリケーションのＵＲＬ情報と対応するか否かを判別する判別ステップと、
前記追加アプリケーションのＵＲＬ情報が前記インストール済みのアプリケーションのＵＲＬ情報と対応する場合、前記追加アプリケーション及び前記インストール済みのアプリケーションのいずれか一方を動作有効の状態に設定する設定ステップとを有することを特徴とする情報処理装置の制御方法。
【請求項１５】
前記追加アプリケーションのＵＲＬ情報が前記インストール済みのアプリケーションのＵＲＬ情報と対応する場合、前記追加アプリケーションのインストールに関する警告を通知する通知ステップを更に有することを特徴とする請求項１４記載の情報処理装置の制御方法。
【請求項１６】
前記追加アプリケーションのＵＲＬ情報に設定される文字列であって前記追加アプリケーションを特定する文字列を含むデータを取得し、
前記判別ステップは、前記データに基づいて前記追加アプリケーションのＵＲＬ情報が前記インストール済みのアプリケーションのＵＲＬ情報と対応するか否かを判別することを特徴とする請求項１４又は１５に記載の情報処理装置の制御方法。
【請求項１７】
外部装置と接続され、
前記ＵＲＬ情報は、前記外部装置が該外部装置に接続された前記情報処理装置を含む複数の装置の中から特定の機能を実現する装置を検出するための所定の文字列を含むことを特徴とする請求項１４乃至１６のいずれか１項に記載の情報処理装置の制御方法。
【請求項１８】
前記設定ステップは、前記動作有効の状態に設定されなかったアプリケーションを動作無効の状態に設定することを特徴とする請求項１４乃至１７のいずれか１項に記載の情報処理装置の制御方法。
【請求項１９】
インストール済みのアプリケーションのＵＲＬ情報に従って前記インストール済みのアプリケーションを動作させる情報処理装置の制御方法をコンピュータに実行させるプログラムであって、
前記情報処理装置の制御方法は、
前記インストール済みのアプリケーションと異なる追加アプリケーションのインストールの実行指示を受け付ける受付ステップと、
前記受け付けた実行指示に従って前記追加アプリケーションをインストールするインストールステップと、
前記追加アプリケーションのＵＲＬ情報が前記インストール済みのアプリケーションのＵＲＬ情報と対応するか否かを判別する判別ステップと、
前記追加アプリケーションのＵＲＬ情報が前記インストール済みのアプリケーションのＵＲＬ情報と対応する場合、前記追加アプリケーション及び前記インストール済みのアプリケーションのいずれか一方を動作有効の状態に設定する設定ステップとを有することを特徴とするプログラム。